(57)【要約】【課題】液体噴射装置を倒立状態で使用しても、大気取込流路から液体収容器内の液状内容物が漏れ出すことがないようにする。【解決手段】液体噴射装置用パッキン１は、液体収容器２０と、液体収容器２０に装着される液体噴射装置１０との間に配置された部材で、外部から液体収容器２０の内部へ大気を取り込む大気取込流路２を備える。この液体噴射装置用パッキン１は、大気を通過させるが液体の通過を遮断する切り込み幅を有するスリット３である。【選択図】図１
2008114188.tif 000002
【特許請求の範囲】
【請求項１】
液体収容器と前記液体収容器に装着される液体噴射装置との間に配置され、前記液体噴射装置のポンプ動作による前記液体収容器内からの液状内容物の吸い上げに伴って外部から前記液体収容器の内部へ大気を取り込む大気取込手段を備えた液体噴射装置用パッキンであって、
前記大気取込手段は、大気を通過させるが液体の通過を遮断する切り込み幅を有するスリットであることを特徴とする液体噴射装置用パッキン。
【請求項２】
前記液体収容器に装着され、請求項１の液体噴射装置用パッキンを備えたことを特徴とする液体噴射装置。
【発明の詳細な説明】
【技術分野】
【０００１】
本発明は、液体収容器と液体収容器に装着される液体噴射装置との間に配置され、液体噴射装置のポンプ動作による液体収容器内からの液状内容物の吸い上げに伴って外部から液体収容器の内部へ大気を取り込む大気取込手段を備えた噴射装置用パッキン、及び噴射装置用パッキンを備えた液体噴射装置に関する。
【背景技術】
【０００２】
液体を入れる容器と、容器に装着され容器内の液状内容物を吸い上げる往復ポンプと、往復ポンプによって吸い上げられた液状内容物を噴射する噴射ノズルを備えた液体噴射装置が知られている。
【０００３】
液体噴射装置には、正立姿勢及び倒立姿勢の両姿勢において液体収容器の内容物を噴射可能なものがあり、正倒立両用噴霧器として知られている。特許文献１には、倒立状態において容器内の空気が往復ポンプへ吸入されることによる不完全な噴霧動作を防止することができる噴射装置が記載されている。２つの空気吸込防止弁を備え、正立時には一方の空気吸込防止弁が閉じ倒立時には他方の空気吸込防止弁が閉じるよう構成されており、何れの際にも容器中の空気が往復ポンプへ吸入されないようになっている。
【０００４】
ところで、液体収容器に液体噴射装置が装着された液体噴射製品において、液状内容物の使用に伴い容器内の空間が増してゆくが、空間が増した分だけ容器内に大気を補給してやらないと容器内が真空状態に近くなり、真空状態に耐えられず容器がへこんでしまう現象が生じる。この現象を防ぐため、一般に液体収容器に装着される液体噴射装置には、噴射に伴う容器内の内容物減少に基づく内部の減圧を補償するため、外部から容器内部へ空気を取り込む大気取込手段が設けられている（特許文献２，特許文献３参照）。
【０００５】
図２に、大気取込手段を備えた従来の正倒立両用噴射装置を示す。図２（ｂ）に示すように、正倒立両用噴射装置５０は、液体収容器１００との間に配置されるパッキン３０を備えている。図２（ａ）に示すようにパッキン３０には、大気取込流路３１，３１が形成されており、ボタン部５１が押下され噴射口５２から内容物が噴射されると同時に、矢印ＸからＹ方向に大気が取り込まれ、大気取込流路３１，３１を介して液体収容器内部に大気が取り込まれる（矢印Ｚ）。これにより、液体収容器内の内容物の減少に基づく内部の減圧を補償することができるようになっている。
【０００６】
【特許文献１】特開昭５５−１５７３５２号公報
【特許文献２】特開昭５３−１４１９１８号公報
【特許文献３】特開昭５８−１７０５６２号公報
【発明の開示】
【発明が解決しようとする課題】
【０００７】
しかしながら、これら特許文献に記載のような正倒立両用噴霧器や図２に記載の正倒立両用噴射装置においてを倒立状態で使用する場合、大気取込流路の開口面積が大きいと液体収容器内の液状内容物が大気取込流路から漏れ出す虞がある。
【０００８】
そこで、本発明は、液体噴射装置を倒立状態で使用しても、大気取込流路から液体収容器内の液状内容物が漏れ出すことがないようにすることを目的とする。
【課題を解決するための手段】
【０００９】
上記課題を解決することのできる本発明は、液体収容器と前記液体収容器に装着される液体噴射装置との間に配置され、前記液体噴射装置のポンプ動作による前記液体収容器内からの液状内容物の吸い上げに伴って外部から前記液体収容器の内部へ大気を取り込む大気取込手段を備えた液体噴射装置用パッキンであって、
前記大気取込手段は、大気を通過させるが液体の通過を遮断する切り込み幅を有するスリットであることを特徴とする。
【００１０】
上記構成によれば、大気取込手段は大気を通過させるが液体の通過を遮断するので、噴射装置を倒立状態で使用しても、大気取込流路から液体収容器内の液状内容物が漏れ出すことがない。
【００１１】
さらに、上記構成によれば、大気取込手段をスリットとすることで、液体噴射装置用パッキンに大気取込流路を簡単に形成することができる。
【００１２】
また、本発明の液体噴射装置は、前記液体収容器に装着され、上記液体噴射装置用パッキンを備えたことを特徴とする。
【００１３】
上記構成によれば、液体噴射装置を倒立状態で使用しても、大気取込流路から液体収容器内の液体が漏れ出すことを防止することが可能になり、液体噴射装置の使い勝手を高めることができる。
【発明を実施するための最良の形態】
【００１４】
以下、本発明に係る液体噴射装置用パッキン及び液体噴射装置用パッキンを備えた液体噴射装置の実施形態を図面を参照しつつ詳細に説明する。
【００１５】
図１（ｂ）に示すように、液体噴射装置用パッキン１は、液体収容器２０と、液体収容器２０に装着される液体噴射装置１０との間に配置された部材で、外部から液体収容器２０の内部へ大気を取り込む大気取込流路（大気取込手段）２を備える。
【００１６】
具体的には、図１（ａ）に示すように液体噴射装置用パッキン１は、外周４が円弧状に形成され、中央に開口部５が形成されたドーナツ状の部材で、開口部５の周縁５ａから半径方向外方に延びるスリット３が１８０°の間隔をおいて形成されている。
【００１７】
液体噴射装置用パッキン１は、例えば商品名ハイシート（製造メーカー：三井化学ファブロ株式会社）で、ある程度の弾力を備えたパッキン材質である。
商品名ハイシートとしての液体噴射装置用パッキン１は、ＰＥの低発砲独立気泡シートの両面にＰＰフィルムが貼り付けられたシート状のものが打ち抜かれ、カットを入れることでスリット３，３が形成されたものである。
なお、液体噴射装置用パッキン１は、その他の材質として、ＰＰの気泡タイプ、ラバーまたはＰＥ単体などで形成することが可能である。
【００１８】
スリット３は、かみそりで切れ目を入れたもので、切れ目がふさがった状態になるようにスリット幅が形成されている。
このスリット３は、大気を通過させるが液体の通過を遮断する切り込み幅を有し、大気取込流路２の役割を果たすものである。
【００１９】
液体噴射装置１０は、液体収容器２０の取出口に取付キャップ１１がねじ結合され、液体収容器２０の取出口と取付キャップ１１との間に液体噴射装置用パッキン１が挟持され、液体収容器２０の内部に噴射バルブ１２が差し込まれた状態に収容され、噴射バルブ１２の頂部にステム１３が設けられ、ステム１３にボタン部１４が係止されている。液体収容器２０の内部には液状内容物２１が充填されている。
【００２０】
液体噴射装置１０によれば、図１（ｂ）に示す正立状態において、ボタン部１４が押下され内部ピストン（スプリング）１２が押し下げられると、液体噴射装置１０の取付キャップ１１部分のボンプ動作によって液状内容物が吸い上げられ、一定量の液状内容物２１がステム１３まで導かれて、ボタン部１４の噴射口１５から噴射される。
【００２１】
本実施形態では、液状内容物の吸い上げに伴って外部から液体収容器２０の内部へ大気を取り込む。すなわち、矢印ＸからＹ方向に大気が取り込まれ、液体噴射装置用パッキン１のスリット（大気取込流路）３，３を介して液体収容器２０内部に大気が取り込まれる（矢印Ｚ）。これにより、液体収容器２０内の液状内容物２１の減少に基づく内部の減圧を補償する。
【００２２】
また、液体噴射装置１０を倒立状態で使用する場合には、液体収容器２０内の内容物２１が液体噴射装置用パッキン１まで流れる。
ここで、スリット３は、大気を通過させるが液体の通過を遮断するので、液体噴射装置１０を倒立状態で使用しても、スリット３から液体収容器２０内の液状内容物２１が漏れ出すことを防止する。
これにより、液体噴射装置１０の使い勝手を高めることができる。
【００２３】
なお、前記実施の形態では、大気取込流路２としてスリット３を例示したが、大気取込流路２はこれに限定するものではなく、大気を通過させるが液体の通過を遮断する機能を備えたものであれば使用可能である。
【００２４】
また、前記実施の形態では、液体噴射装置用パッキン１にスリット３が１８０°の間隔をおいて２箇所に形成した例について説明したが、これに限定しない、３箇所などの他の複数箇所に形成することも可能である。
【図面の簡単な説明】
【００２５】
【図１】（ａ）は本実施形態にかかるパッキンの上面図であり、（ｂ）は、本実施形態にかかるパッキンを備えた液体噴射装置の中央断面図である。
【図２】（ａ）は従来のパッキンの上面図であり、（ｂ）は、従来のパッキンを備えた液体噴射装置の中央断面図である。
【符号の説明】
【００２６】
１：液体噴射装置用パッキン、２：大気取込流路、３：スリット、１０：液体噴射装置、２０：液体収容器、２１：液状内容物
【図１】
2008114188.tif 000003
【図２】
2008114188.tif 000004